(57)【要約】      （修正有）【課題】緊急通報したことを犯人に気付かせず、自携帯電話端末の位置情報や周囲の状況を通報先にしらせることができる携帯電話端末を提供する。【解決手段】端末制御部１０１は、特定操作検出部１０６にてユーザからの特定操作を検出したならば、特定宛先記憶部１０８に記憶されている特定アドレスを取得し、特定電話相手２に電子メールにて通知し、また、特定宛先記憶部１０８に記憶されている特定電話宛先を取得し、特定電話相手２に音声メッセージを送出する。それと共に、端末制御部１０１は表示制御部１０７に電源断表示をするよう指示し、表示部１０４は電源断表示をする。【選択図】図１
2016220091.tif 000002
【特許請求の範囲】
【請求項１】
緊急通報機能を具備する電話端末であって、
予め定められた特定電話宛先を呼出し緊急事態の発生に係る音声メッセージを自動的に送出する音声メッセージ自動送出手段、または予め定められた特定アドレスへ緊急事態の発生に係る電子メールを自動的に送信する電子メール自動送信手段を有し、
予め定められた特定操作が為された場合に、前記音声メッセージ自動送出手段または前記電子メール自動送信手段を起動し、自端末の動作状態の表示を待機中または電源断の状態とすることを特徴とする特殊緊急通報機能を有する電話端末。
【請求項２】
請求項１に記載の電話端末において、
自端末が備えるマイクにより周囲音声を入力する周囲音声入力手段をさらに有し、前記特定操作が為された場合に、前記周囲音声入力手段が入力した周囲音声を前記呼出した特定電話宛先へ送出することを特徴とする特殊緊急通報機能を有する電話端末。
【請求項３】
請求項１または２に記載の電話端末において、
自端末が存在している場所に係る情報を取得する場所情報取得手段をさらに有し、前記特定操作が為された場合に、前記場所情報取得手段が取得した情報を前記音声メッセージまたは前記電子メールに含めることを特徴とする特殊緊急通報機能を有する電話端末。
【請求項４】
請求項１乃至３のいずれか一項に記載の電話端末において、
前記特定操作が為された場合に、自端末が備えるカメラを起動し、前記起動したカメラが入力した映像情報を前記特定電話宛先または前記特定アドレスへ送信することを特徴とする特殊緊急通報機能を有する電話端末。
【発明の詳細な説明】
【技術分野】
【０００１】
本発明は、緊急通報に関し、特に携帯電話端末の持ち主が誘拐された場合に犯人に気づかれずに警察や信頼出来る人物へ、位置情報、周辺の映像や音声を送信する携帯電話端末に関する。
【背景技術】
【０００２】
緊急事態の発生時に緊急通報を実行する携帯電話端末に係る技術として、特許文献１には、緊急事態の発生時に携帯電話端末の緊急用ボタンを操作することによって緊急連絡先に通報すると同時に、ＧＰＳ（Ｇｌｏｂａｌ  ｐｏｓｉｔｉｏｎｉｎｇ  ｓｙｓｔｅｍ）衛星からの信号に基づいた位置情報、周辺の映像や音声、及び個人情報を緊急連絡先に自動送信する技術が記載されている。
【先行技術文献】
【特許文献】
【０００３】
【特許文献１】特開２００４−４０７３３号公報
【発明の概要】
【発明が解決しようとする課題】
【０００４】
しかしながら、特許文献１の技術では、緊急通報を行ったとしても、自携帯電話端末が通信状態を示している為、緊急通報したことを犯人に気づかれてしまう可能性がある。緊急通報したことを犯人に気づかれると通報中の緊急通報を切断、電源を切られてしまい、通報することが不可能になる。また、犯人に反抗的とみられ、さらに事態を悪化させてしまう可能性もある。
【０００５】
本発明は、上記事情を鑑みてなされたものであり、その課題は、緊急通報をしたことを犯人に気付かせず、自携帯電話端末の位置情報や周囲の状況を通報先にしらせることができる携帯電話端末を提供することにある。
【課題を解決するための手段】
【０００６】
上記課題を解決するために、本発明は、予め定められた特定電話宛先を呼出し緊急事態の発生に係る音声メッセージを自動的に送出する音声メッセージ自動送出手段、または予め定められた特定アドレスへ緊急事態の発生に係る電子メールを自動的に送信する電子メール自動送信手段を有し、予め定められた特定操作が為された場合に、前記音声メッセージ自動送出手段または前記電子メール自動送信手段を起動し、自端末の動作状態の表示を待機中または電源断の状態とする、ことを特徴とする。
【発明の効果】
【０００７】
本発明によれば、緊急通報した際に携帯電話端末の表示部は待機中または電源断の表示となっているため、通報していることを知られずに、通報先に携帯電話端末周辺の情報を送信することが出来る。
【図面の簡単な説明】
【０００８】
【図１】図１は、携帯電話端末を含むシステムの全体構成図および携帯電話端末の機能ブロック図である。
【図２】図２は、携帯電話端末の動作フロー図である。
【発明を実施するための形態】
【０００９】
以下に、本発明の一実施の形態について説明する。
【００１０】
図１は、携帯電話端末１を含むシステムの全体構成図および携帯電話端末１の機能ブロック図である。図示するように、本システムは、携帯網を含む公衆網３上に存在する基地局に収容される携帯電話端末１と、特定電話相手２と、複数のＧＰＳ衛星４とから構成される。
【００１１】
携帯電話端末１は、緊急通報機能を具備する電話端末であり、公衆網３を介して特定電話相手２と相互に着信および発信する機能を有している。また、携帯電話端末１は、ＧＰＳ衛星４から自装置の位置情報を取得するＧＰＳ機能を有している。
【００１２】
特定電話相手２は、公衆網３を介して、携帯電話端末１と通信することが出来る通報先の通信端末である。
【００１３】
ＧＰＳ衛星４は、携帯電話端末１が自端末の位置を測定する際に用いられる人工衛星である。
【００１４】
次に携帯電話端末１の機能ブロックについて説明する。
【００１５】
携帯電話端末１は、端末制御部１０１と、通信制御部１０２と、操作部１０３と、表示部１０４と、無線通信部１０５と、特定操作検出部１０６と、表示制御部１０７と、特定宛先記憶部１０８と、緊急メッセージ生成部１０９と、電子メール制御部１１０と、位置情報取得部１１１と、スピーカ１１２と、マイク１１３と、カメラ１１４と、を備えている。
【００１６】
端末制御部１０１は、操作部１０３から特定操作検出部１０６を介して渡される入力情報の制御や表示制御部１０７に対する出力情報の制御を行う。また、端末制御部１０１は、公衆網３を介して特定電話相手２と相互に着信および発信するための制御を行う。また、端末制御部１０１は、無線通信部１０５から通信制御部１０２を介して受信する音声情報をスピーカ１１２へ渡し、マイク１１３から受け取る周囲音声やカメラ１１４から受け取る映像情報を、無線通信部１０５から公衆網３へ送信する。さらに、端末制御部１０１は、特定操作検出部１０６から特定操作の検出通知を受けると、緊急メッセージ生成部１０９の起動指示や、表示制御部１０７へ待機中または電源断表示を指示する。また、端末制御部１０１は、携帯電話端末１における端末の処理全般を行う。
【００１７】
通信制御部１０２は、端末制御部１０１からの発信指示を契機に無線通信部１０５を介して特定電話相手２へ発信や、無線通信部１０５からの着信を契機に端末制御部１０１へ着信通知を行う。また、通信制御部１０２は、緊急メッセージ生成部１０９から渡される緊急事態の発生に係る音声メッセージや、端末制御部１０１から渡された周囲音声を、無線通信部１０５から公衆網３を介して特定電話相手２へ送出する、また公衆網３から無線通信部１０５を介して受信する音声情報を、端末制御部１０１を介してスピーカ１１２へ出力するなどの音声情報の送受信処理を行う。
【００１８】
操作部１０３は、フック、ダイヤル、ボタンの入力、を含む入力機器であり、入力された情報を特定操作検出部１０６へ渡す。
【００１９】
表示部１０４は、表示制御部１０７から指示されることにより動作状態の表示を行うＬＣＤ等の表示インターフェースである。
【００２０】
無線通信部１０５は、基地局を介し公衆網３との接続を行い、公衆網３との通信制御全般を行う。
【００２１】
特定操作検出部１０６は、操作部１０３から渡されたフック、ダイヤル、ボタン等の入力情報を端末制御部１０１へ渡すのと同時に、操作部１０３から渡されたそれらの入力情報を監視し、特定操作の検出を行う。特定操作とは、操作部１０３に含まれる緊急通報ボタンの押下とし、特定操作を検出すると特定操作検出部１０６は、端末制御部１０１へ特定操作の検出通知を行う。
【００２２】
表示制御部１０７は、端末制御部１０１からの指示を受け、表示部１０４に対して待機画面表示の制御や、電源断表示の制御を行う。
【００２３】
特定宛先記憶部１０８は、予め定められた特定電話相手２の電話番号である特定電話宛先を登録することができ、特定電話相手２に対する呼び出しを行う際に、端末制御部１０１から参照される。特定宛先記憶部１０８は、特定電話宛先を複数登録することができ、呼び出しを行った特定電話相手２がある一定期間（例えば３分）応答せず、次順の特定電話宛先を取得する際に端末制御部１０１から参照される。また、予め定められた特定アドレスを登録することができ、特定アドレスに対して電子メールを送信する際に、端末制御部１０１から参照される。ここで特定電話宛先とは、緊急時に通報したい相手先の電話番号であり、特定アドレスとは、緊急時に通報したい相手先の電子メールアドレスである。   
【００２４】
緊急メッセージ生成部１０９は、端末制御部１０１から特定電話宛先を渡されると共に起動指示を受けることで、緊急事態の発生に係る音声メッセージの作成を行い通信制御部１０２へ渡す。また、緊急メッセージ生成部１０９は、端末制御部１０１から特定アドレスを渡されると共に起動指示を受けることで、緊急事態の発生に係る電子メールの作成を行い電子メール制御部１１０へ渡す。また、緊急メッセージ生成部１０９は、端末制御部１０１より携帯電話端末１が存在している位置に係る情報を取得し、前記、緊急事態の発生に係る音声メッセージ、緊急事態の発生に係る電子メールに含める。また、緊急メッセージ生成部１０９は、端末制御部１０１より映像情報を取得し、前記、緊急事態の発生に係る電子メールに含める。
【００２５】
電子メール制御部１１０は、端末制御部１０１より渡される電子メールを、無線通信部１０５から公衆網３を介し、特定電話相手２に対して送信する。また、電子メール制御部１１０は、緊急メッセージ生成部１０９より渡される緊急事態の発生に係る電子メールを、無線通信部１０５から公衆網３を介し、特定電話相手２に対して送信する。
【００２６】
位置情報取得部１１１は、ＧＰＳ衛星４より受信した信号から、携帯電話端末１が存在している位置情報を算出し、端末制御部１０１へ渡す。ここでいうＧＰＳ衛星４より受信する信号とは、ＧＰＳ衛星４に搭載された原子時計からの時刻のデータ、ＧＰＳ衛星４の軌道の情報などが含まれている。また、本発明の一実施の形態ではＧＰＳ衛星４は１つのみしか記載しないが、実際は複数存在し、複数の衛星から前記情報を受信し、位置情報を算出する。
【００２７】
スピーカ１１２は、端末制御部１０１から渡される音声を出力する。
【００２８】
マイク１１３は、携帯電話端末１の周囲音声を入力するための入力手段であり、入力した周囲音声を端末制御部１０１へ渡す。
【００２９】
図２は携帯電話端末１の動作フロー図である。本フローは、携帯電話端末１の電源が投入され、発着信可能な状態から開始する。
【００３０】
携帯電話端末１の電源が投入され、発着信可能な状態になると、携帯電話端末１は、ユーザによる特定操作を待つ（Ｓ１０１）。
【００３１】
特定操作があると（Ｓ１０１：Ｙｅｓ）、特定操作検出部１０６は、端末制御部１０１へ特定操作の検出通知を行う。特定操作の検出通知を受けた端末制御部１０１は、表示制御部１０７へ電源断表示指示を行う。電源断表示指示を受けた表示制御部１０７は、表示部１０４の電源断表示制御を行う（Ｓ１０２）。
【００３２】
尚、本発明の一実施の形態では、表示制御部１０７は、表示部１０４の電源断表示制御について説明しているが本願はこれに限定しない。例えば、表示制御部１０７が待機中表示指示を受け取った場合は、表示部１０４の待機中表示制御を行ってもよい。
【００３３】
そして、端末制御部１０１は、位置情報取得部１１１より自端末が存在している位置に係る情報を取得し、カメラ１１４を起動する。その後、端末制御部１０１は、特定宛先記憶部１０８から特定アドレスを取得し、位置情報取得部１１１より取得した位置情報とカメラ１１４から入力した映像情報を緊急メッセージ生成部１０９に渡し、起動指示を行う（Ｓ１０３）。
【００３４】
起動指示を受けた緊急メッセージ生成部１０９は、緊急事態の発生に係る電子メールを作成し電子メール制御部１１０へ渡す。作成した電子メールを受け取った電子メール制御部１１０は無線通信部１０５を介して特定電話相手２に対して電子メールを送信する（Ｓ１０４）。
【００３５】
次に端末制御部１０１は、特定宛先記憶部１０８から特定電話宛先を取得し、通信制御部１０２へ発信指示をする。発信指示を受け取った通信制御部１０２は無線通信部１０５から公衆網３を介して特定電話相手２に発信を行い、応答待ちタイマを開始する（Ｓ１０５）。端末制御部１０１は発信時に特定電話相手２へ通話の開始を要求する呼制御メッセージを通信制御部１０２、無線通信部１０５、公衆網３を介して送信し、通話の開始を要求する呼制御メッセージに音声と映像の通信要求を含める(例えば、呼制御メッセージとしてＳＩＰ（Ｓｅｓｓｉｏｎ  Ｉｎｉｔｉａｔｉｏｎ  Ｐｒｏｔｏｃｏｌ）を使用する場合は、ボディ部のＳＤＰ（Ｓｅｓｓｉｏｎ  ｄｅｓｃｒｉｐｔｉｏｎ  Ｐｒｏｔｏｃｏｌ）に携帯電話端末１が通信可能な音声と映像のセッション情報を付与する)。
【００３６】
その後、携帯電話端末１は特定電話相手２から応答を受信する（Ｓ１０６）、または尾打当待ちタイマがタイムアウトする（Ｓ１１３）の何れかの状態になるのを待つ。
【００３７】
特定電話相手２から応答を受信すると（Ｓ１０６：Ｙｅｓ）、端末制御部１０１は携帯電話端末１と特定電話相手２との通話の呼接続処理を実行して通話を開始するとともに応答待ちタイマを停止する（Ｓ１０７）。
【００３８】
ここで呼接続処理とは、特定電話相手２の応答時に特定電話相手２から送信される応答の呼制御メッセージ（例えば、呼制御メッセージとしてＳＩＰを使用する場合は、ＩＮＶＩＴＥに対する応答コード２００ＯＫなど、呼接続において必要なプロトコル信号であり、通話先接続情報を載せることができる応答）に含まれる音声と映像の通話先接続情報を元に通話の接続先を決定し、通話を開始する。通話先接続情報にはＩＰ電話の電話番号やＩＰアドレスなど、通話の呼接続において通話先の電話機等を識別するための番号等である。
【００３９】
その後、端末制御部１０１から緊急メッセージ生成部１０９へ起動指示が行われる。緊急メッセージ生成部１０９では、緊急事態の発生に係る音声メッセージを作成し、通信制御部１０２から無線通信部１０５を介して公衆網３へ送出する（Ｓ１０８）。
【００４０】
さらに、端末制御部１０１は、特定電話相手２応答時に受信する応答の呼制御メッセージに映像通信が可能である旨が含まれていた場合（例えば、呼制御メッセージとしてＳＩＰを使用する場合は、ボディ部のＳＤＰに携帯電話端末１と特定電話相手２が通信可能な映像のセッション情報が付与されている）、特定電話相手２が映像通信可能であると判断し（Ｓ１０９：Ｙｅｓ）、カメラ１１４から入力された映像情報を通信制御部１０２へ渡し、通信制御部１０２は無線通信部１０５から公衆網３を介して特定電話相手２へ送信する（Ｓ１１０）。
【００４１】
携帯電話端末１は、特定電話相手２が応答時に送信する応答の呼制御メッセージに映像通信が可能である旨が含まれていない場合、特定電話相手２が映像通信不可能と判断し（Ｓ１０９：ＮＯ）、特定電話相手２へ映像情報を送信しない。次に端末制御部１０１はマイク１１３の入力を開始し、マイク１１３から入力される周囲音声を無線通信部１０５から公衆網３を介して特定電話相手２に送出する（Ｓ１１１）。その後、携帯電話端末１は相手切断待ちとなる（Ｓ１１２）。特定電話相手２が切断した場合（Ｓ１１２：Ｙｅｓ）、携帯電話端末１はステップ１０１に戻る。
【００４２】
また、端末制御部１０１は、ある一定期間（例えば３分）特定電話相手２が応答せず、応答待ちタイマがタイムアウトした場合（Ｓ１１３：Ｙｅｓ）、特定電話相手２への発信を放棄し（Ｓ１１４）、特定宛先記憶部１０８から次順の特定電話宛先を取得し、通信制御部１０２へ発信指示をする。
【００４３】
発信指示を受け取った通信制御部１０２は無線通信部１０５から公衆網３を介して発信を行い、応答待ちタイマを開始する（Ｓ１１５）。応答待ちタイマ開始後、携帯電話端末１は特定電話相手応答待ちとなる（Ｓ１０６）。
【００４４】
以上、本発明の一実施の形態について説明した。
【００４５】
本発明の一実施の形態において、操作部１０３がユーザからの操作を検出したならば、それが特定操作であるかを特定操作検出部１０６にて検出し、端末制御部１０１に通知する。端末制御部１０１は特定宛先記憶部１０８に記憶されている特定電話宛先を緊急メッセージ生成部１０９に通知する。緊急メッセージ生成部１０９は緊急事態の発生に係る音声メッセージを作成し、また、緊急事態の発生に係る電子メールを作成し、電子メール制御部１１０に通知する。電子メール制御部１１０は、無線通信部１０５から公衆網３を介して特定電話相手２に電子メールを送信する。通信制御部１０２は無線通信部１０５から公衆網３を介して、特定電話相手２に音声メッセージを送出する。それと共に、端末制御部１０１は表示制御部１０７に電源断表示をするよう指示し、表示部１０４は電源断表示をする。これにより、犯人に気付かれずに、緊急事態の発生に係る音声メッセージと緊急事態の発生に係る電子メールを特定電話相手２に送信することができる。
【００４６】
また、本発明の一実施の形態において、操作部１０３がユーザからの操作を検出したならば、それが特定操作であるかを特定操作検出部１０６にて検出し、端末制御部１０１に通知する。端末制御部１０１は特定宛先記憶部１０８から特定電話宛先を取得し、通信制御部１０２へ発信指示をする。通信制御部１０２は無線通信部１０５から公衆網３を介して特定電話相手２に発信を行う。特定電話相手２が応答したならば、通信制御部１０２はマイク１１３から入力される周囲音声を無線通信部１０５から公衆網３を介して特定電話相手２に送出する。これにより、呼び出された特定電話相手２は、携帯電話端末１の周囲音声から犯人の動向を把握することができる。
【００４７】
また、本発明の一実施の形態において、操作部１０３がユーザからの操作を検出したならば、それが特定操作であるかを特定操作検出部１０６にて検出し、端末制御部１０１に通知する。端末制御部１０１は特定宛先記憶部１０８に記憶されている特定電話宛先を緊急メッセージ生成部１０９に通知する。緊急メッセージ生成部１０９は、位置情報取得部１１１が取得した、自端末が存在している位置に係る情報を含めた緊急事態の発生に係る音声メッセージを作成し、また、位置情報取得部１１１が取得した、自端末が存在している位置に係る情報を含めた緊急事態の発生に係る電子メールを作成し、電子メール制御部１１０に渡す。電子メール制御部１１０は無線通信部１０５から公衆網３を介して特定電話相手２に電子メールを送信する。通信制御部１０２は無線通信部１０５から公衆網３を介して、特定電話相手２に音声メッセージを送出する。これにより、呼び出された特定電話相手２は、携帯電話端末１の現在位置を特定することができ、迅速に現地へ駆けつけることができる。
【００４８】
また、本発明の一実施の形態において、操作部１０３がユーザからの操作を検出したならば、それが特定操作であるかを特定操作検出部１０６にて検出し、端末制御部１０１に通知する。端末制御部１０１はカメラ１１４を起動し、特定宛先記憶部１０８に記憶されている。特定電話宛先を緊急メッセージ生成部１０９に渡すと共に、カメラ１１４が入力した映像情報を緊急メッセージ生成部１０９に渡す。緊急メッセージ生成部１０９は入力した映像情報を通信制御部１０２へ渡し、通信制御部１０２は無線通信部１０５から公衆網３を介して特定電話相手２へ送信する。また、緊急メッセージ生成部１０９は入力した映像情報を含んだ電子メールを作成し、無線通信部１０５から公衆網３を介して特定電話相手２へ送信する。
【００４９】
これにより、呼び出された特定電話相手２は受信した映像情報を再生することで、携帯電話端末１周囲の様子を確認することが可能となる。
【００５０】
なお、本発明の一実施の形態において、特定操作による緊急通報後に携帯電話端末１に設けられたダイヤル又はボタンを操作することにより、操作者に対して携帯電話端末１に設けられたバイブレータ（振動機器）で特定電話相手２への音声メッセージ送出の完了を通知してもよい。これにより、携帯電話端末１の持ち主は犯人に気付かれずに特定電話相手２への通報完了を知ることが可能となる。
【符号の説明】
【００５１】
１・・・携帯電話端末、
２・・・特定電話相手、
３・・・公衆網、
４・・・ＧＰＳ衛星、
１０１・・・端末制御部、
１０２・・・通信制御部、
１０３・・・操作部、
１０４・・・表示部、
１０５・・・無線通信部、
１０６・・・特定操作検出部、
１０７・・・表示制御部、
１０８・・・特定宛先記憶部、
１０９・・・緊急メッセージ生成部、
１１０・・・電子メール制御部、
１１１・・・位置情報取得部、
１１２・・・スピーカ、
１１３・・・マイク、
１１４・・・カメラ。
【図１】
2016220091.tif 000003
【図２】
2016220091.tif 000004